(57)【特許請求の範囲】
【請求項１】
移動体端末から着脱可能な部品に設けられた他の物品を取り付ける取付部と、
前記部品が着脱可能に取り付けられる本体と当該部品とを嵌合することで該部品の抜去力を調整する抜去力調整部とを備え、
前記取付部は、前記抜去力調整部により前記本体と前記部品とが嵌合される部位付近に設けられることを特徴とする移動体端末。
【発明の詳細な説明】
【技術分野】
【０００１】
本発明は、移動体端末に関する。
【背景技術】
【０００２】
携帯電話やＰＨＳ（Personal  Handyphone  System）、スマートフォンなどの移動体端末は、ストラップが取り付けられる取付部を有する。例えば、移動体端末は、移動体端末の筐体にストラップ孔が設けられ、利用者の首に掛けられるストラップであるネックストラップが取り付けられる。
【０００３】
また、取付部を有する部品が電池カバーに張り付けられた移動体端末がある。取付部を有する部品は、例えば、両面テープや接着剤で電池カバーに張り付けられる。また、落下等の衝撃や、電池カバーを外そうとする力以外の力によって、電池カバーが外れるのを防止する嵌合部を有する移動体端末もある。
【先行技術文献】
【特許文献】
【０００４】
【特許文献１】特開２００２−１７７０４０号公報
【特許文献２】特開平９−２３７９８０号公報
【特許文献３】特開２０００−１６４１８４号公報
【発明の概要】
【発明が解決しようとする課題】
【０００５】
しかしながら、取付部を有する部品が電池カバーに張り付けられた移動体端末では、ストラップが電池カバーごと外れやすいという問題点があった。すなわち、取付部を有する部品にネックストラップが取り付けられた際に、移動体端末が引っ張られると、移動体端末の本体に電池カバーが取り付けられた箇所に移動体端末にかかった力がかかり、ストラップが電池カバーごと外れやすい。ストラップが移動体端末の本体から外れると、移動体端末の本体が落下し、移動体端末の故障や紛失につながる。
【０００６】
また、取付部を有する部品が電池カバーに張り付けられた移動体端末と嵌合部を有する移動体端末とを組み合わせることも考えられる。しかしながら、上述した嵌合部を有する移動体端末では、取付部を有する部品を電池カバーに取り付ける点について考慮されておらず、更に有用な移動体端末が求められる。
【０００７】
開示の技術は、上記に鑑みてなされたものであって、取付部を有する部電池カバーを移動体端末の本体に適切に取付可能である移動体端末を提供することを目的とする。
【課題を解決するための手段】
【０００８】
開示する移動体端末は、一つの態様において、移動体端末から着脱可能な部品に設けられた他の物品を取り付ける取付部を備える。また、移動体端末は、前記部品が着脱可能に取り付けられる本体と当該部品とを嵌合することで該部品の抜去力を調整する抜去力調整部とを備える。また、移動体端末では、前記取付部は、前記抜去力調整部により前記本体と前記部品とが嵌合される部位付近に設けられる。
【発明の効果】
【０００９】
開示する移動体端末の一つの態様によれば、取付部を有する電池カバーを移動体端末の本体に適切に取付可能であるという効果を奏する。
【図面の簡単な説明】
【００１０】
【図１】図１は、実施例１に係る移動体端末の一例について説明する３面図である。
【図２】図２は、電池カバーを外した場合について説明する移動体端末の側面図である。
【図３】図３は、電池カバーを外した場合について説明する移動体端末の背面図である。
【図４】図４は、電池カバーを外した場合について説明する移動体端末の底面図である。
【図５】図５は、実施例１における嵌合爪の形状の一例について説明する図である。
【図６】図６は、実施例１における爪嵌合部の形状の一例について説明する図である。
【図７】図７は、内蓋を有する移動体端末について説明する移動体端末の背面図である。
【図８】図８は、電池カバーと電池とが一体である場合について説明する側面図である。
【図９】図９は、電池カバーと電池とが一体である場合について説明する背面図である。
【図１０】図１０は、電池カバーと電池とが一体である場合について説明する底面図である。
【図１１】図１１は、キャップが取り付けられていない状態における固定側筐体について説明する図である。
【図１２】図１２は、キャップが取り付けられた状態における固定側筐体について説明する図である。
【図１３】図１３は、キャップの一例について説明する図である。
【発明を実施するための形態】
【００１１】
以下に、開示する移動体端末の実施例について図面に基づいて詳細に説明する。なお、本実施例により開示する移動体端末が限定されるものではない。各実施例は、処理内容を矛盾させない範囲で適宜組み合わせることが可能である。また、以下では、特に言及しない限り、折り畳み型の移動体端末を例に説明する。しかしながら、本発明はこれに限定されるものではなく、移動体端末１００は、折り畳み型の移動体端末でなくても良く、任意の形状であっても良い。
【実施例１】
【００１２】
図１を用いて、実施例１に係る移動体端末１００の一例について説明する。図１は、実施例１に係る移動体端末の一例について説明する３面図である。図１の（Ａ）は、移動体端末１００の一例について説明する側面図である。図１の（Ｂ）は、移動体端末１００の一例について説明する背面図である。図１（Ｃ）は、移動体端末１００の一例について説明する底面図である。
【００１３】
図１において、２１０は、移動体端末１００の固定側筐体である。例えば、固定側筐体２１０は、利用者による操作を受け付ける操作キーを有する。２２０は、移動体端末１００の可動側筐体である。例えば、可動側筐体２２０は、液晶パネルを有し、種々の情報を利用者に表示する。例えば、可動側筐体２２０は、固定側筐体２１０の操作キーを用いて利用者が入力した電話番号を表示する。２３０は、固定側筐体２１０に可動側筐体２２０を開閉自在に連結する連結部である。図１に示す例では、可動側筐体２２０が固定側筐体２１０に折り畳まれている状態を例に示した。３００は、固定側筐体２１０に着脱可能に取り付けられる電池カバーである。３１０は、他の物品が取り付けられる取付部である。他の物品とは、例えば、ストラップや各種の装飾品などが該当する。以下では、他の物品としてストラップを用いる場合を例に説明する。すなわち、３１０が、ストラップが取り付けられるストラップ取付部である場合を用いて説明する。ストラップ取付部３１０は、例えば、電池カバー３００を貫通した貫通穴である。４００は、移動体端末１００に取り付けられるストラップである。ストラップ４００は、ストラップ取付部３１０に取り付けられる紐であるストラップ紐４１０と、ストラップ紐４１０と連結されたストラップ４００の本体であるストラップ本体４２０とを有する。例えば、ストラップ４００は、ストラップ紐４１０がストラップ取付部３１０の貫通穴を通して固定されることで、固定側筐体２１０に取り付けられる。例えば、ストラップ４００は、利用者の首に掛けられるネックストラップが該当する。ここで、固定側筐体２１０と可動側筐体２２０とをまとめて、移動体端末の本体２００や本体とも称する。つまり、移動体端末１００は、移動体端末の本体２００と、電池カバー３００とを有する。なお、電池カバー３００は、部品とも称する。
【００１４】
図１に示すように、移動体端末の本体２００は、電池カバー３００が着脱可能に取り付けられる。また、電池カバー３００のストラップ取付部３１０は、ストラップ４００のストラップ紐４１０が取り付けられる。つまり、移動体端末の本体２００には、着脱可能に取り付けられる電池カバー３００を介して、ストラップ４００が取り付けられる。
【００１５】
図２〜図４を用いて、移動体端末の本体２００から電池カバー３００を外した場合について説明する。図２は、電池カバーを外した場合について説明する移動体端末の側面図である。図３は、電池カバーを外した場合について説明する移動体端末の背面図である。図４は、電池カバーを外した場合について説明する移動体端末の底面図である。図２〜図４において、２１１は、移動体端末１００の電池である。２１２は、電池カバー３００に設けられた嵌合爪３３０とかみ合う爪嵌合部である。例えば、爪嵌合部２１２は、嵌合爪３３０の形状に対応する凹部である。なお、嵌合爪３３０と爪嵌合部２１２とをあわせて、抜去力調整部とも称する。３２０は、電池カバー３００と移動体端末の本体２００とを着脱可能に取り付ける取付部である。３３０は、移動体端末の本体２００の爪嵌合部２１２とかみ合う嵌合爪である。例えば、嵌合爪３３０は、爪嵌合部２１２の形状に対応する凸部である。図２〜４において、図１と共通する箇所については、図１と同じ符号を付した。なお、爪嵌合部２１２が凸部であり、嵌合爪３３０が凹部であっても良い。
【００１６】
図２〜図４に示すように、電池カバー３００は、取付部３２０と嵌合爪３３０とを介して、移動体端末の本体２００に着脱可能に取り付けられる。取付部３２０は、移動体端末の本体２００に取り付けられることで、電池カバー３００を移動体端末の本体２００に着脱可能に取り付ける。
【００１７】
嵌合爪３３０は、移動体端末の本体２００と電池カバー３００との抜去力を調整する。抜去力とは、移動体端末の本体２００から電池カバー３００を外すのに要する力を示す。具体的には、嵌合爪３３０は、移動体端末１００を製造する製造者によって大きさや形状を調整される。例えば、嵌合爪３３０は、大きければ大きいほど、移動体端末の本体２００とかみ合う面積が大きくなる結果抜去力が大きくなり、小さければ小さいほど、移動体端末の本体２００とかみ合う面積が小さくなる結果抜去力が小さくなる。
【００１８】
移動体端末の本体２００にかかった力は、電池カバー３００が移動体端末の本体に取り付けられた箇所にかかる。この結果、抜去力調整部を用いることなく取付部３２０で電池カバー３００を取り付けた場合には、ストラップ４００が電池カバー３００ごと外れやすい。ストラップが移動体端末の本体から外れると、移動体端末の本体２００は落下し、移動体端末１００の故障や紛失につながる。このことを踏まえ、移動体端末１００は、嵌合爪３３０が設けられ、電池カバー３００が簡単に外れないような抜去力になるように嵌合爪３３０が調整される。そして、電池カバー３００は、取付部３２０だけでなく、嵌合爪３３０も用いて移動体端末の本体２００に取り付けられる。この結果、移動体端末１００によれば、ストラップ４００が電池カバー３００ごと簡単に外れることを防止可能である。
【００１９】
すなわち、嵌合爪３３０の形状や大きさは、強く引っ張ると電池カバー３００が外れる一方、簡単には電池カバー３００が外れないような抜去力となるように、製造者によって決定される。この結果、ストラップ４００が簡単には外れなくすることが可能である。
【００２０】
図５と図６とを用いて、嵌合爪３３０と爪嵌合部２１２との一例について説明する。図５は、実施例１における嵌合爪の形状の一例について説明する図である。図６は、実施例１における爪嵌合部の形状の一例について説明する図である。図５と図６とを用いて説明する場合には、嵌合爪３３０の形状が線型である場合を例に説明するが、本発明はこれに限定されるものではない。例えば、嵌合爪３３０の形状は、円型であっても良く、任意の形状であって良い。
【００２１】
図５に示すように、嵌合爪３３０は、ストラップ取付部３１０が設けられた箇所付近に設けられる。言い換えると、嵌合爪３３０は、電池カバー３００の内、ネックストラップが引っ張られた場合に荷重がかかる箇所に設けられる。また、図６に示すように、移動体端末の本体２００は、電池カバー３００が取り付けられた際に嵌合爪３３０と接触する箇所に、嵌合爪３３０とかみ合う爪嵌合部２１２を有する。爪嵌合部２１２の形状は、嵌合爪３３０とかみ合えばどのような形状でも良い。図６に示す例では、爪嵌合部２１２の形状が線型である場合を示した。すなわち、図６に示す例では、線状の嵌合爪３３０が爪嵌合部２１２に挿入されることで、嵌合爪３３０と爪嵌合部２１２とがかみ合い、電池カバー３００の抜去力が大きくなる。
【００２２】
ただし、図５に示す例では、電池カバー３００に嵌合爪３３０が一つ設けられた場合を例に説明したが、本発明はこれに限定されるものではなく、２つ以上の嵌合爪３３０が設けられても良い。
【００２３】
移動体端末１００は、ストラップが取り付けられる携帯型情報機器が該当する。例えば、携帯電話やＰＨＳ、スマートフォン、ラップトップコンピュータ、タブレット型のコンピュータ、携帯型ゲーム機、ＰＤＡ（Personal  Digital  Assistant）などが該当する。
【００２４】
［実施例１の効果］
上述したように、移動体端末１００は、移動体端末１００の本体から着脱可能な部品に設けられた他の物品を取り付けるストラップ取付部３１０と、抜去力調整部とを有する。また、ストラップ取付部３１０は、抜去力調整部により本体と部品とが嵌合される部位付近に設けられる。言い換えると、抜去力調整部は、ネックストラップが引っ張られた場合に荷重がかかる箇所にて、部品と本体とを嵌合する。この結果、移動体端末１００によれば、ストラップ取付部３１０を有する電池カバーを移動体端末の本体に適切に取付可能である。具体的には、移動体端末１００によれば、抜去力調整部により本体と部品とが嵌合される部位付近に、すなわち、他の物品が引っ張られた際に加重がかかる箇所にストラップ取付部３１０が設けられる結果、抜去力を効率良く調整することが可能である。
【００２５】
また、移動体端末１００によれば、ネックストラップが引っ張られたとしても着脱可能な部品や嵌合爪が歪み難くすることが可能であり、部品や嵌合爪が壊れ難くすることが可能である。部品や嵌合爪が歪み難くなったり壊れ難くなったりする点について更に説明する。ストラップ取付部３１０を抜去力調整部が設けられた箇所とは異なる箇所に設けた場合には、ストラップが引っ張られた時に発生する応力と、着脱可能な部品と本体とを抜去力調整部が嵌合する方向とが異なることがある。これに対して、ストラップ取付部３１０を抜去力調整部付近に設けることで、製造時や設計時には想定されなかった応力が嵌合爪や着脱可能な部品にかかることが少なくなり、着脱可能な部品や嵌合爪が歪み難くすることが可能であり、部品や嵌合爪が壊れ難くすることが可能である。
【００２６】
また、上述したように、移動体端末１００から着脱可能な部品に貫通穴を設けることでストラップ取付部３１０とする。この結果、両面テープや接着剤などを用いてストラップ取付部を有する部品を電池カバーに張り付ける手法と比較して、両面テープを用いたことにより発生する不快感を防止することが可能である。例えば、両面テープや接着剤を用いた場合には、移動体端末１００の外装に接着剤が残り、ゴミや異物が付着する結果、操作時に利用者に不快感があった。また、例えば、両面テープや接着剤を用いて張り付ける場合には、移動体端末１００の外装から部品が突出していた。この場合、突出部に応力が集中しやすく、壊れやすかった。これに対して、移動体端末１００によれば、両面テープや接着剤などを用いてストラップ取付部を有する部品を電池カバー３００に張り付けておらず、両面テープを用いたことにより発生する不快感を防止することが可能である。
【実施例２】
【００２７】
さて、これまで実施例１について説明したが、本発明は上述した実施例１以外にも、その他の実施例にて実施されても良い。そこで、以下では、その他の実施例について説明する。なお、以下では、実施例１と同様の点については、説明を省略したり、説明を簡単に行ったりする。
【００２８】
［ストラップ取付部］
また、上述した実施例では、ストラップ取付部が貫通穴であり、ストラップ紐が貫通穴に通されることでストラップが取り付けられる場合を例に説明したが、本発明はこれに限定されるものではない。例えば、ストラップが金具で取り付けられる場合には、ストラップ取付部は、かかる金具に対応する取付部であっても良い。
【００２９】
［内蓋］
例えば、図７に示すように、移動体端末１００は、移動体端末の本体２００から電池２１１が外れるのを防止する内蓋５００を有しても良い。図７は、内蓋を有する移動体端末について説明する移動体端末の背面図である。図７に示すように、移動体端末の本体２００は、内蓋５００によって電池２１１が覆われており、電池カバー３００が外れたとしても、電池２１１が移動体端末の本体２００から外れるのを防止することが可能である。
【００３０】
［電池一体型電池カバー］
また、例えば、図８〜図１０に示すように、電池カバーと電池とが一体となっていても良い。図８〜図１０を用いて、電池カバーと電池とが一体である場合について説明する。図８は、電池カバーと電池とが一体である場合について説明する側面図である。図９は、電池カバーと電池とが一体である場合について説明する背面図である。図１０は、電池カバーと電池とが一体である場合について説明する底面図である。
【００３１】
図８〜図１０において、５１０は、電池５１２と一体となった電池カバーである電池一体型電池カバーである。すなわち、電池一体型電池カバー５１０は、電池カバー５１１と、電池５１２とを有する。５１３は、電池一体型電池カバー５１０を着脱可能に移動体端末の本体２００に取り付ける取付部である。５１４は、電池一体型電池カバー５１０に設けられたストラップ取付部である。５１５は、電池一体型電池カバー５１０に設けられた嵌合爪である。５１６は、実施例１における移動体端末の本体２００では電池２１１があった箇所を示す。
【００３２】
図８〜図１０に示すように、電池一体型電池カバー５１０は、電池５１２を有する。この結果、図９に示すように、移動体端末の本体２００から電池一体型電池カバー５１０を外すと、電池５１２もまた移動体端末の本体２００から外れる。
【００３３】
［着脱可能な部品］
また、例えば、実施例１では、ストラップ取付部が電池カバー３００に設けられた場合について説明した。しかしながら、本発明はこれに限定されるものではない。すなわち、ストラップ取付部は、移動体端末の本体２００から着脱可能な部品に設けられれば良く、任意の部品に設けられても良い。
【００３４】
図１１〜図１３を用いて、移動体端末の部品の内、電池カバー３００以外の着脱可能な部品に設けられる場合について説明する。具体的には、移動体端末の本体２００に取り付けられたキャップにストラップ取付部が設けられた場合について説明する。以下では、特に言及しない限り、移動体端末１００の固定側筐体にキャップが取り付けられる場合を例に説明するが、本発明はこれに限定されるものではない。例えば、可動側筐体にキャップが取り付けられても良い。
【００３５】
図１１は、キャップが取り付けられていない状態における固定側筐体について説明する図である。図１２は、キャップが取り付けられた状態における固定側筐体について説明する図である。図１３は、キャップの一例について説明する図である。図１１〜図１３において、５２１は、固定側筐体である。５２２は、固定側筐体５２１の内キャップ５２４が嵌められる箇所である。箇所５２２は、例えば、移動体端末の各種端子が設けられた箇所が該当する。５２３は、固定側筐体５２１に設けられた爪嵌合部である。５２４は、移動体端末の本体２００の箇所５２２に取り付けられるキャップである。５２５は、キャップ５２４に設けられたストラップ取付部である。５２６は、キャップ５２４を着脱可能に固定側筐体５２１に取り付ける取付部である。５２７は、キャップ５２４に設けられた嵌合爪である。
【００３６】
図１１〜図１３に示すように、キャップ５２４は、取付部５２６と嵌合爪５２７とを介して、固定側筐体５２１に着脱可能に取り付けられる。取付部５２６は、固定側筐体５２１に取り付けられることで、キャップ５２４を固定側筐体５２１に着脱可能に取り付ける。嵌合爪５２７は、固定側筐体５２１とキャップ５２４との抜去力を調整する。つまり、嵌合爪５２７は、固定側筐体５２１からキャップ５２４を外すのに要する力を調整する。
【符号の説明】
【００３７】
１００      移動体端末
２００      本体
２１０      固定側筐体
２１１      電池
２１２      爪嵌合部
２２０      可動側筐体
２３０      連結部
３００      電池カバー
３１０      ストラップ取付部
３２０      取付部
３３０      嵌合爪
４００      ストラップ
４１０      ストラップ紐
４２０      ストラップ本体
５００      内蓋
５１０      電池一体型電池カバー
５２１      固定側筐体
５２４      キャップ
【図１】
0005402770.tif 000002
【図２】
0005402770.tif 000003
【図３】
0005402770.tif 000004
【図４】
0005402770.tif 000005
【図５】
0005402770.tif 000006
【図６】
0005402770.tif 000007
【図７】
0005402770.tif 000008
【図８】
0005402770.tif 000009
【図９】
0005402770.tif 000010
【図１０】
0005402770.tif 000011
【図１１】
0005402770.tif 000012
【図１２】
0005402770.tif 000013
【図１３】
0005402770.tif 000014